(57)【要約】      （修正有）【課題】患者が酸素吸入を受けながら車椅子で移動するときの、酸素ボンベを車椅子に装着するための器具である。従来、ボンベカゴ本体を車椅子に直接取り付ける方法が一般的であったが、それだと、ボンベカゴが準備されている数少ない車椅子に不具合が生じたとき、移動に支障をきたし不便である。ボンベの重量がすべて車椅子本体にかかるので、取り付けた位置と角度によっては、患者が乗っていない状態のとき、うしろに反転する危険性があるので、そうした問題を解消した、安全で着脱が簡単な車椅子用酸素ボンベスタンドを提供する。【解決手段】酸素ボンベカゴの底面に自在キャスターを取り付けて、ボンベの重量が車椅子にかからないようにする。ボンベカゴと、それを支える支柱の連結箇所に、段差、スロープに対応するための上下に動くスライド部分を設ける。車椅子の大きさに応じて固定金具の高さを変えることができ、簡単に取り外しのできる構造とする。【選択図】図１
2006346411.tif 000002
【特許請求の範囲】
【請求項１】
酸素ボンベカゴの底面に自在キャスターを付け、その側面に、１本の支柱に差し込むかたちで、カゴが上下にスライドする、支柱との接合部分を設ける。支柱の上段を、車椅子の大きさに応じて高さが調整できる構造とし、接続棒を介して、把手フレームに固定するものとする。支柱の下端は、接続棒を介して、足掛けフレームに固定する構造とする。その固定金具は、簡単に取り外しのできるものとする。
以上の構成よりなる、安全で着脱が簡単な車椅子用酸素ボンベスタンド。
【請求項２】
支柱の上段に、車椅子の大きさに応じて把手フレーム固定金具の位置を変えることのできるスライド部分を設けた請求項１の、安全で着脱が簡単な車椅子用ボンベスタンド。
【請求項３】
把手フレーム固定金具と接続棒との接続箇所を、フレームの形に応じて、角度を変えることのできるものとし、その金具は、Ｒ状に曲がった部分のフレームをしっかり固定するために、両端に分かれた２股とすると共に、先端に向かって逆八の字の形状とした請求項１の、安全で着脱が簡単な車椅子用ボンベスタンド。
【発明の詳細な説明】
【技術分野】
【０００１】  本発明は、酸素吸入を受けながら車椅子で移動するときの、酸素ボンベを車椅子に装着するための器具であり、その形状、及び取り付け方法に関するものである。
【背景技術】
【０００２】  従来、酸素吸入を必要とする人が車椅子で移動しようとする場合、キャスターの付いたボンベ移動台を、付添人が携えて同行するか、溶接、ビス止めなどにより、ボンベカゴを取り付けた車椅子を利用する方法がとられている。取り外しのできる構造のボンベカゴもあるが、やはりそれも、特定の車椅子にボンベカゴ本体を装着するものである。
【発明の開示】
【発明が解決しようとする課題】
【０００３】  酸素吸入を受けながら車椅子で移動しようとするとき、これまで、次のような問題点があった。
ボンベ台を利用する場合、付添人は、足許、頭許に気を配らねばならず、スムーズな進行が困難である。病院内で、緊急な移動を要するとき、ボンベカゴの取り付けてある車椅子に不具合が見つかったために使用不能である。あるいは、酸素ボンベがセットされている車椅子を常にベッドの傍らに準備しておきたい患者であるにもかかわらず、酸素ボンベが重たいので、ボンベカゴの取り付け位置によっては、人が乗っていない状態のとき、車椅子がうしろに反転する危険性が高いため、セットしたままにはできないので、その度毎に、ボンベを所定の場所に戻さねばならず不便である。車椅子が使用不能となったので更新するにあたり、ボンベカゴの取り付けも、それと同時に依頼しなければならず面倒である。
本発明は、以上の問題点を解決し、便利さと安全性を高めたものである。
【課題を解決するための手段】
【０００４】  酸素ボンベカゴの底面に自在キャスターを付け、側面に、１本の支柱に差し込むかたちで、傾斜、段差に応じてボンベカゴが上下するためのスライド金具を設ける。そのスライド金具は、上下の支柱に設定したスライド幅が余裕をもって残せる位置、長さとする。支柱の上端、下端は車椅子の本体に固定するが、上端の固定箇所は車椅子の把手フレームとし、下端は足掛けフレームとする。把手フレーム固定金具は直接支柱と接合するのではなく、支柱に差し込むかたちでスライド金具を設け、その先端を、接続棒を介した固定金具の接続箇所とすることにより、車椅子の大小に対応できるものとする。把手フレーム固定金具は、取り付け位置のフレームの大半がＲ状に曲がっているので、接続棒との接続箇所を角度の変わるものとし、フレームに引っ掛けるかたちでネジ締めする固定金具は、引っ掛け部分がより確かにフレームをグリップする形状とする。
【発明の効果】
【０００５】  本発明は、大きさ、形の異なる既存の車椅子の大半に装着が可能なため、利用する人の体形・病状に最も適合した車椅子が選択でき、しかも、脱着が短時間ですむので、タイヤがパンクした時などでも対処が容易である。また、ボンベの荷重を、ボンベカゴ本体のキャスターによって支えるので、車椅子がうしろに反転する危険性は解消され、ボンベをセットしたまま、車椅子を半分折りたたんだ状態で放置して置いても安全である。
【発明を実施するための最良の形態】
【０００６】  以下、本発明の実施の形態を説明する。
（イ）酸素ボンベカゴ（１）の底面に、自在キャスター（５）を１個取り付ける。その取り付け位置は、ボンベカゴスライドパイプ（７）がより滑らかに上下するために、中心ではなく、支柱（１）寄りの位置とする。
（ロ）酸素ボンベカゴ（１）の側面に、カゴが上下するためのボンベカゴスライドパイプ（７）を設ける。
（ハ）ボンベカゴスライドパイプ（７）は、支柱に差し込むかたちで、傾斜、段差に応じて上下するため、その長さと位置は、設定したスライド巾が支柱（１）の上下に十分残る範囲とする。
（ニ）支柱（１）は、機能するための十分な強度を保った、なるべく細くて軽量なものとする。
（ホ）支柱（１）の上段に、支柱（１）に差し込むかたちで、高さ調整スライドパイプ（６）を設ける。
（ヘ）高さ調整スライドパイプ（６）は、車椅子の大小に対応するために、設定した範囲内で上下させて利用できる長さとし、その１面の中心に、設定した伸縮巾と同じ長さのガイド穴（１０）を設け、支柱の上先端近くに設けた細い固定ネジ（９）を定まった位置で固定できる構造とする。
（ト）高さ調整スライドパイプ（６）の上端は、接続棒（８）を介して把手フレーム固定金具（３）と接続するが、把手フレーム固定金具（３）側の接続箇所には、装着する車椅子のフレームの形状合わせて、角度を変えることのできる可動接続ネジ（１１）を用いる。
（チ）把手フレーム固定金具（３）は、引っ掛けてネジ止めするかたちのものであるが、固定箇所の大半がＲ状になったフレームであるため、引っ掛け部分を、金具の両端に分かれた２股とし、先がすぼんだ逆八の字の形状とする。
（リ）支柱（１）下端は、接続棒（８）により足掛けフレーム固定金具（４）と接続する。
（ヌ）足掛けフレーム固定金具（４）と接続棒（８）との接合にも、角度を変えることのできる可動接続ネジ（１１）を用いても良いが、それだと、取り扱いに不慣れな人が、ボンベを垂直にしないで装着する可能性があるので、完全固定とする。その角度は、車椅子の足掛けフレームが、わずかに前上がりになっているので、直角、もしくはそれに合わせた角度とする。
本発明は以上の構成よりなる。
本発明を使用する場合は、最初に足掛けフレーム固定金具（４）の引っ掛け部分を足掛けフレームに乗せ、高さ調整スライドパイプ（６）で高さを調整し、把手フレーム固定金具（３）を固定する。そのあと足掛けフレーム固定金具（４）を固定し、最後に高さ調整スライドパイプ（６）をネジ止めする。
【図面の簡単な説明】
【０００７】
【図１】本発明の斜視図
【図２】酸素ボンベスタンド部分の側面図
【図３】把手フレーム固定金具部分の正面図
【図４】把手フレーム固定金具部分の平面図
【図５】足掛けフレーム固定金具部分の正面図
【図６】足掛けフレーム固定金具部分の平面図
【図７】固定金具装着位置の参考図１
【図８】固定金具装着位置の参考図２
【符号の説明】
【０００８】  （１）支柱、（２）酸素ボンベカゴ、（３）把手フレーム固定金具、（４）足掛けフレーム固定金具、（５）自在キャスター、（６）高さ調整スライドパイプ、（７）ボンベカゴスライドパイプ、（８）接続棒、（９）固定ネジ、（１０）ガイド穴、（１１）可動接続ネジ、（１２）キャスターナット
【図１】
2006346411.tif 000003
【図２】
2006346411.tif 000004
【図３】
2006346411.tif 000005
【図４】
2006346411.tif 000006
【図５】
2006346411.tif 000007
【図６】
2006346411.tif 000008
【図７】
2006346411.tif 000009
【図８】
2006346411.tif 000010